(57)【要約】【課題】棚を上下反転させても、棚板の下部に設けた引出しを支障なく使用しうるようにする。【解決手段】上下反転させて使用可能な棚において、左右の側面板２３における互いの対向面に、下部に前方に引き出し可能な引出し４３を有する棚板３４、３５の両側端部を、前方に取外し可能かつ上下反転させて取付可能として装着する。【選択図】  図６
2012152588.tif 000002
【特許請求の範囲】
【請求項１】
上下反転させて使用可能な棚において、左右の側面板における互いの対向面に、下部に前方に引き出し可能な引出しを有する棚板の両側端部を、前方に取外し可能かつ前記側面板に対して上下反転させて取付可能として装着したことを特徴とする棚。
【発明の詳細な説明】
【技術分野】
【０００１】
本発明は、例えば机の天板の後部に設けられる棚に係わり、特に、棚を上下反転させることにより、棚板とその下部に設けた引出しの高さを、引出しを支障なく使用しうるように容易に変更しうるようにした棚に関する。
【背景技術】
【０００２】
天板の後部上方に設けた上棚や書棚における棚板の高さを変更するには、例えば特許文献１及び２に記載されているように、机の後部に、上棚や書棚を、上下位置を変更可能として取付けたり、単に、棚板自体のみの取付位置を上下に変更したりする方法などがある。
【先行技術文献】
【特許文献】
【０００３】
【特許文献１】特開平９−１５４６３８号公報
【特許文献２】特開２００５−３４２３７７号公報
【発明の概要】
【発明が解決しようとする課題】
【０００４】
上記特許文献１及び２に記載されているものでは、重量のある上棚や書棚全体を抱えながら、その上下の取付位置を変更しなければならないので、棚板等の高さ調節作業が面倒である。
また、棚板自体の取付位置を上下に変更する際にも、その着脱作業が面倒である。
【０００５】
そこで、本願の発明者らは、棚の上下方向の中央部よりも上方に棚板を固定しておき、棚全体を上下反転させて使用可能とすれば、棚板の高さを簡単に変更しうることを案出した。
ところが、棚板の下方に物品収容部を確保したいという要求により、棚板の下部に引出しを設けると、棚を上下反転させた際に、引出しも反転して棚板の上方に位置してしまい、それが使用できなくなるという問題が生じる。
【０００６】
本発明は、上記問題点に鑑みてなされたもので、棚を上下反転させても、棚板の下部に設けた引出しを支障なく使用しうるようにするとともに、棚板及びその下部に設けた引出しの高さを容易に変更しうるようにした棚を提供することを目的としている。
【課題を解決するための手段】
【０００７】
本発明によると、上記課題は、次のようにして解決される。
（１）上下反転させて使用可能な棚において、左右の側面板における互いの対向面に、下部に前方に引き出し可能な引出しを有する棚板の両側端部を、前方に取外し可能かつ上下反転させて取付可能として装着する。
【０００８】
（２）上記(１)項において、棚板を、左右の側面板における上下方向の中央部よりも上方または下方の対向面に装着する。
【０００９】
（３）上記(１)または(２)項において、棚板の両側端面に、前後方向を向くとともに、外側方と後方に開口する取付溝を設け、両取付溝を、左右の側面板の内面に取付けた前後方向を向く支持杆に前方より嵌合することにより、棚板を、両側面板の対向面に取外し可能かつ上下反転させて取付可能として装着する。
【００１０】
（４）上記(３)項において、左右の側面板における上下方向の中央部よりも上方または下方の対向面の後端部同士を、横連結板により連結し、両側面板の内面における前記横連結板を挟む上下部に、支持杆を選択的に取付けることにより、棚板の後端部下面が、通常使用時及び上下反転時のいずれにおいても、横連結板の上面と近接する上方に位置しうるようにする。
【００１１】
（５）上記(４)項において、棚板の後端部を、横連結板に、この横連結板の下方より挿入した止めねじにより固定する。
【００１２】
（６）上記(１)〜(５)項のいずれかにおいて、棚板の上面に、仕切板を、左右位置調節可能に取付ける。
【００１３】
（７）上記(６)項において、棚板の後端に、後方に開口する左右方向を向くガイド溝を設け、このガイド溝に、仕切板の後端に取付けた取付部材の下端の前向きガイド片を、摺動可能に嵌合することにより、棚板の上面に、仕切板を、左右位置調節可能かつ後方より着脱可能に取付ける。
【００１４】
（８）上記(７)項において、取付部材の後面を、両側面板の後端に取付けた後面板の前面に近接させる。
【発明の効果】
【００１５】
上記(１)項記載の発明によれば、左右の側面板における互いの対向面に、下部に前方に引き出し可能な引出しを有する棚板の両側端部を、前方に取外し可能かつ上下反転させて取付可能として装着したことにより、棚を上下反転させても、引出しを支障なく使用することができる。
【００１６】
上記(２)項記載の発明によれば、棚を上下反転させ、両側面板より取り外した棚板を、再度側面板に前方より取付けるだけで、棚板及びその下部の引出しの高さを容易に変更することができる。
【００１７】
上記(３)項記載の発明によれば、棚板を、左右の側面板の内面に、取外し可能として前方より容易に取付けることができるとともに、取付後において棚板が上下方向にがたつくのが防止される。
【００１８】
上記(４)項記載の発明によれば、棚が、横連結板により補強されるとともに、棚板の後端部が、横連結板の上面と近接する上方に位置しているので、棚板上に多くの物品を載置したり、引出しに重量のある物品を収容したりしても、棚板が下方に撓んだり、支持杆より脱落したりする恐れがない。
【００１９】
上記(５)項記載の発明によれば、棚板は横連結板に固定されているので、引出しを前方に引き出しても、これと一緒に棚板が側面板の前方に移動してしまうことはない。
【００２０】
上記(６)項記載の発明によれば、棚板の上面を、物品の種類もしくは物品の量等に応じて、左右位置調節可能な仕切板により最適に仕切ることができる。
【００２１】
上記(７)項記載の発明によれば、棚板の上面に何ら加工を施すことなく、仕切板を、棚板の上面に左右位置調節可能に簡単に取付けることができる。
また、仕切板が不要となった際には、棚板の後方から簡単に取外すことができる。
【００２２】
上記(８)項記載の発明によれば、棚板を側面板に取付けた使用状態において、仕切板が、棚板から後方に脱落するのが防止される。
【図面の簡単な説明】
【００２３】
【図１】本発明の一実施形態を備える机の斜視図である。
【図２】同じく、分解斜視図である。
【図３】同じく、正面図である。
【図４】同じく、平面図である。
【図５】同じく、側面図である。
【図６】本発明の上棚の分解斜視図である。
【図７】図４のVII-VII線拡大縦断側面図である。
【図８】同じく、VIII-VIII線拡大縦断側面図である。
【図９】上棚を上下反転させて取付けた取付形態を示す斜視図である。
【図１０】同じく、上棚を上下反転させた際の分解斜視図である。
【発明を実施するための形態】
【００２４】
以下、本発明の実施形態を、図面に基づいて説明する。
図１は、本発明の一実施形態を備える机の斜視図、図２は、同じく分解斜視図、図３は、同じく正面図、図４は、同じく平面図、図５は、同じく側面図である。
【００２５】
机は、机本体１と、その後部に上下位置変更可能に取付けられた本発明の引出し付き上棚(以下、上棚と略称する)２とからなっている。
机本体１は、左右１対の側脚３、３と、両側脚３の後端部の対向面に両側端が固定された幕板４と、両側脚３の後部側下端部の対向面に跨って固定された底面板５と、両側脚３と幕板４とのコ字状空間に、高さ調節可能に設けられた天板６とからなっている。
【００２６】
左右の側脚３は、前後方向を向くベース脚７と、その前部上面に下端が固着された垂直フレーム８aの上端に、後方を向く水平フレーム８bが連設された側面視倒立Ｌ字状をなす脚フレーム８と、水平フレーム８bの前端とベースフレーム７との対向面間に固着された前後寸法の小さな側板９と、同じく水平フレーム８bとベース脚７との後部の対向面間に、前部の側板９との間に隙間が形成されるようにして固着された、前後寸法の大きな側板１０とからなり、脚フレーム８と前後の側板９、１０との内側面は、段差がないように同一面に整合している。
【００２７】
前部の両側板９の上部と、後部の両側板１０の上部の中央部とには、それぞれ、天板６取付用のねじ１１を挿入するための左右方向を向くねじ挿通孔１２、１２が、互いに等高をなすようにして、上下方向に一定間隔おきに複数穿設されている。
【００２８】
両側板９の上部の内側面には、内側方に開口する有底の取付孔１３が、上下に隣接するねじ挿通孔１２間に位置するようにして、上下複数形成され、この取付孔１３には、天板６の前端部の両側部下面を支持する支持部材１４が、着脱可能に取付けられている。
また、後部の両側板１０における前後両端部の内側面にも、複数の取付孔１５、１５が、互いに等高をなすようにして、上下方向に一定間隔おきに形成されており、この前後の取付孔１５には、上棚２における後記する左右の側面板２３の下端を支持するための支持部材１４が、着脱可能に取付けられている。
【００２９】
天板６の前端部の左右寸法は、左右の側脚３、３における外側面間の離間寸法よりも若干小とされ、かつ中央部と後端部の左右両側面には、それぞれ、両側脚３の対向面間の寸法とほぼ等しい左右寸法の凹入段部１６と、上棚２における後記する側面板２３の対向面間の寸法とほぼ等しい左右寸法の凹入段部１７とが、連続して形成されている。
【００３０】
前部側の凹入段部１６における前端の外向きの係止段部１８は、左右の脚フレーム８における垂直フレーム８aの前面と当接し、後部側の凹入段部１７の前端の外向きの係止段部１９は、上棚２における後記する側面板２３の前端と当接するようになっている。
【００３１】
上記中央部の左右の凹入段部１６の前端部と、後端部の左右の凹入段部１７の中間部とには、上記前後の側板９、１０のねじ挿通孔１２に挿入したねじ１１の先端部が螺合するめねじ孔２０、２０が形成されている。
天板６と上記底面板５の後端の左右両角部には、それぞれ配線挿通用の切欠き２１、２１が形成されている。
天板６の右側方の下部には、施錠可能な引出し２２が取付けられている。
【００３２】
上棚２は、図６の拡大分解斜視図にも示すように、左右１対の側面板２３、２３と、両側面板２３の後端部の対向面に両側端が固着された後面板２４と、両側面板２３における上端部の対向面の後端部同士を連結している横連結板２５とを備えている。
【００３３】
左右の側面板２３の前後寸法は、机本体１における側脚３の側板１０の前後寸法よりも若干小さく、かつ同じく外側面間の寸法は、両側板１０の対向面間の寸法よりも極く僅かに小とされ、両側面板２３の外側面を、左右の側板１０の内側面に摺接させながら、上棚２全体を両側脚３間に嵌合しうるようにしてある。
また、両側面板２３の対向面間の寸法は、天板６における後端部の左右の凹入段部１７、１７間の左右寸法とほぼ等しく、天板６の後端部が、両側面板２３間に嵌合されるようになっている。
【００３４】
左右の側面板２３における下部の中央部には、上下複数のねじ挿通孔２６が、机本体１における左右の側面板１０のねじ挿通孔１２と対応するようにして穿設されている。
また、両側面板２３の内側面には、内方に開口する上下複数の取付孔２７が、机本体１における前部の側板９の取付孔１３と等ピッチをなすように形成され、この取付孔２７には、天板６の後端部の両側部下面を支持するための支持部材１４が、着脱可能に取付けられている。
【００３５】
後面板２４と横連結板２５とには、複数の仕切板２８が、次のようにして取付けられている。
図７の拡大縦断面図にも示すように、仕切板２８の下方寄りの後端部には、横連結板２５に前方より差込み可能な、その板厚及び前後寸法とほぼ等しいスリット２９が、前方に向かって形成されている。
一方、横連結板２５の前端部には、仕切板２８の板厚とほぼ等しい幅の凹状をなす位置決め溝３０が、複数形成されている。
【００３６】
横連結板２５の位置決め溝３０に、仕切板２８のスリット２９を、その後端が後面板の２４の前面に当接するまで前方より嵌合したのち、後面板２４に穿設された上下２個の通孔３１、３１に後方より挿入したねじ３２、３２を、仕切板２８の後面に設けた上下２個のめねじ孔３３、３３に螺合することにより、仕切板２８は、後面板２４と横連結板２５とに、位置決め溝３０の数に応じて左右位置を変更可能として取付けられている。なお、各仕切板２８は、後記する棚板３４、３５の一側面を支持する側面板としての機能も有している。
【００３７】
横連結板２５の上面には、左右寸法の大きな棚板３４と、これより左右寸法の小さな２個の棚板３５、３５が、次のようにして取付けられている。
図６に示すように、横連結板２５のやや上方において、左右の側面板２３の内側面と、各仕切板２８の両側面との中央部に形成された前後２個の取付孔３６、３６には、前後方向を向くワイヤよりなる支持杆３７が、各面より若干突出するようにして対向状に取付けられている。なお、側面板２３の内側面と各仕切板２８の両側面における横連結板２５の若干下方にも、前後２個ずつの取付孔３６が設けられ、これらの取付孔に、各支持杆３７を選択的に取り付けうるようにしてある。
【００３８】
棚板３４、３５の両側面には、前後方向を向くとともに、外側方と後方に開口する取付溝３８が形成され、この両取付溝３８を、上記互いに対向する支持杆３７に前方より挿入することにより、各棚板３４、３５は、側面板２３と仕切板２８との対向面により、後端部下面が横連結板２５の上面に当接するようにして、取外し可能に支持されている。
【００３９】
図８に示すように、各棚板３４、３５(同一構造につき、棚板３４のみ図示する)の後端部下面の中央部には、下方に開口するめねじ孔３９が形成され、このめねじ孔３９に、横連結板２５の通孔４０を介して下方より挿入した、手回し可能な止めねじ４１を螺合することにより、棚板３４、３５は、各支持杆３７から前方に抜け外れるのが防止されている。
【００４０】
棚板３５、３５の両側部下面には、側板４２、４２が取付けられ、両側板４２間には、引出し４３が、その両側面に形成された前後方向を向くガイド溝４４を、側板４２の内側面に突設した前後方向を向く支持片(図示略)に摺動可能に嵌合することにより、前方に引き出し可能に収容されている。
【００４１】
各棚板３４、３５の上面には、その前後寸法よりも若干短寸の仕切板４５が、左右位置を調節可能に、次のようにして取付けられている。
図８に示すように、各仕切板４５(同一構造に付き、棚板３４側のみ図示する)の後端下部の角部には、側面視前向きＬ字状断面をなす合成樹脂製の取付部材４６が、その前向片４６aを仕切板４５の下面に当接させ、かつ垂直片４６bを上下２個のねじ４７をもって、仕切板４５の後端面に固定することにより取付けられている。
【００４２】
垂直片４６bの下端には、短寸のガイド片４６cが、前向片４６aの下方に離間させて前向きに連設され、このガイド片４６cを、棚板３４の後端に形成された左右方向を向くガイド溝４８に摺動可能に嵌合することにより、各棚板３４、３５の仕切板４５の左右位置を、任意に調節することができる。なお、棚板３４、３５を横連結板２５に取付けた際、取付部材４６の垂直片４６bの後面が、後面板２４の前面と近接するので、仕切板４５が棚板３４、３５から外れることはない。
【００４３】
このように構成された上棚２を、机本体１に取付けるには、図２に示すように、天板６を取付ける前において、上棚２の両側面板２３を、机本体１における左右の側脚３、３間に、その側板１０の内面に側面板２３の外面が当接または近接するとともに、後面板２４の後面が、幕板４の前面に当接または近接するようにして、上方より挿入し、後部の側板１０における内側面の任意の取付孔１５に取付けた前後２個の支持部材１４により、両側面板２３の下端を支持する。なお、側脚３の内側面は、同一面をなしているので、上棚２の両側面板２３を、机本体１の前方からでも、両側脚３間に挿入することができる。
【００４４】
ついで、机本体１の前方より、天板６を、その両側面に形成した前後の係止段部１８、１９が、それぞれ側脚３の前端面と上棚２の側面板２３の前端に当接するまで挿入し、天板６における前後の両端部下面を、両側脚３における前部側の側板９の内側面と、上棚２における両側面板２３の内側面とに、互いに等高をなすように取付けられた支持部材１４により支持する。なお、この状態において、天板６の後端面が、上棚２の後面板２４の前面と近接または当接するようにしてある。
【００４５】
ついで、机本体１における前後の両側板９、１０と、上棚２の両側面板２３とに穿設された、互いに整合するいずれか一つのねじ挿通孔１２、２６に、ねじ１１を外方より挿入し、その先端部を、天板６における中央部と後端部の両側面の凹入段部１６、１７に設けためねじ孔２０、２０に螺合する。この際のねじ止め作業は、天板６が、前後の係止段部１８、１９により前後方向に位置決めされているので、容易に行うことができる。
【００４６】
これにより、机本体１の両側脚３、上棚２の両側面板２３、及び天板６が、ねじ１１により互いに固定される。なお、図２に示すように、幕板４と後面板２４の中央部にも、上下複数のねじ挿通孔４９を設け、これらに後方より挿入したねじ(図示略)を、天板６の後面中央部に設けためねじ孔(図示略)に螺合させるようにしてもよく、このようにすると、両側脚３と両側面板２３と天板６とを、より強固に固定することができる。
天板６及び上棚２の上下位置を変更する際には、支持部材１４の上下方向の取付位置を変えればよい。
【００４７】
図９は、上記通常使用時の上棚２を上下反転させ、机本体１の上端とほぼ同一高さとなるように上下位置を調節して取付けた第２の取付形態を示すもので、このようにすると、上棚２を取り外すことなく、天板６の上面を広く使用しうるとともに、棚板３４、３５及び引出し４３を、天板６の下方において使用しうるようにすることができる。
【００４８】
このように、上棚２を上下反転させて使用する際には、図１〜図８に示す取付形態において、各棚板３４、３５を取付ける横連結板２５を、上棚２の上下方向の中央部よりも上方寄りに取付け、上棚２を反転させたとき、横連結板２５が天板６の下方に位置するようにすればよい。
【００４９】
棚板３４、３５は、側面板２３、側面板を兼ねる仕切板２８、及び横連結板２５に取外し可能に取付けてあるので、図１０に示すように、それらを取外して上下反転させ、再度横連結板２５に、上述したと同じ要領で取付ければよく、同じ棚板３４、３５及び棚板３５の引出し４３をそのまま使用することができる。この際には、各支持杆３７も同時に取外し、予め設けておいた、上棚２の反転時に上方に位置する各取付孔３６に付け替えればよい。
なお、上棚２を反転させて取付けると、仕切板２８が下方に大きく突出するようになるが、この仕切板２８も取外して上下反転させ、上方に大きく突出するように付け替えてもよい。
また、引出し４３が取り付けられていない左方の棚板３４については、その上下両面を物品載置面として使用しうるようにすれば、取外して上下反転させる必要はない。
【００５０】
上記実施形態では、両側面板２３の上下方向の中央部よりも上方に、横連結板２５及び棚板３４、３５を取り付けているが、これらを、両側面板２３の中央部よりも下方に取付けても、上棚２を上下反転させた際に、棚板３４、３５及び引出し４３の上下位置を変更することができる。
【００５１】
上記実施形態では、棚板３４、３５の後端部下面を、横連結板２５の上面により支持するようにしているが、横連結板２５を省略し、棚板３４、３５の両側面を、側面板２３及び後面板２４の前面に固着した、側面板を兼ねる仕切板２８における支持杆３７のみにより支持してもよい。
また、左右の側面板２３の対向面に取付けた支持杆３７に、下部に１個または複数個の引出し４３を設けた長寸の棚板を、前方に取外し可能に取付けてもよい。
【００５２】
上記実施形態においては、上棚２を、机本体１に上下位置変更可能として取り付けているが、上棚２のみを、上下反転可能として床面に設置したり、机以外の家具に載置するなどして使用することもできる。
【符号の説明】
【００５３】
１    机本体
２    引出し付き上棚(棚)
３    側脚
４    幕板
５    底面板
６    天板
７    ベース脚
８    脚フレーム
８a   垂直フレーム
８b   水平フレーム
９    側板
１０  側板
１１  ねじ
１２  ねじ挿通孔
１３  取付孔
１４  支持部材
１５  取付孔
１６  凹入段部
１７  凹入段部
１８  係止段部
１９  係止段部
２０  めねじ孔
２１  切欠き
２２  引出し
２３  側面板
２４  後面板
２５  横連結板
２６  ねじ挿通孔
２７  取付孔
２８  仕切板(側面板)
２９  スリット
３０  位置決め溝
３１  通孔
３２  ねじ
３３  めねじ孔
３４  棚板
３５  棚板
３６  取付孔
３７  支持杆
３８  取付溝
３９  めねじ孔
４０  通孔
４１  止めねじ
４２  側板
４３  引出し
４４  ガイド溝
４５  仕切板
４６  取付部材
４６a 前向片
４６b 垂直片
４６c ガイド片
４７  ねじ
４８  ガイド溝
４９  ねじ孔
【図１】
2012152588.tif 000003
【図２】
2012152588.tif 000004
【図３】
2012152588.tif 000005
【図４】
2012152588.tif 000006
【図５】
2012152588.tif 000007
【図６】
2012152588.tif 000008
【図７】
2012152588.tif 000009
【図８】
2012152588.tif 000010
【図９】
2012152588.tif 000011
【図１０】
2012152588.tif 000012